(57)【要約】【課題】  玉鎖、鎖、紐等を使用せずに抜去可能な水槽用栓およびこの栓を引き抜くための栓引抜き具を提供する。【解決手段】  （Ａ）ゴム、プラスチック、木質材等の適宜材料からなる栓本体と、該栓本体の上部に突出する金具に挿通せしめられる主リングと、該主リングに対してそれぞれ鎖交する複数の補助リングと、を具備する水槽用栓；ならびに、（Ｂ）使用される水槽の水深を超える把持部であって先端部の向きを規制し得る形状を有する把持部と、該把持部先端の前方側に形成された鉤部であって、水槽用栓の上方に設けられた主リングまたは複数の補助リングのいずれかと係合するように構成された少なくとも１つの鉤部と、を具備する栓引抜き具とからなる水槽用栓システムである。【選択図】  図１
2005261677.tif 000002
【特許請求の範囲】
【請求項１】
ゴム、プラスチック、木質材等の適宜材料からなる栓本体と、該栓本体の上部に突出する金具に挿通せしめられる主リングと、該主リングに対してそれぞれ鎖交する複数の補助リングと、を具備することを特徴とする水槽用栓。
【請求項２】
前記主リングが、前記金具の貫通孔に挿通せしめられる直線部であって、リング中間において直径方向に折り曲げられた直線部を形成し、該直線部の中心を栓本体の上表面中心付近に位置せしめ、該主リングの外周部に対して複数の補助リングをそれぞれ鎖交するリングである、ことを特徴とする請求項１に記載の水槽用栓。
【請求項３】
前記主リングおよび補助リングがステンレススチールにより形成される、ことを特徴とする請求項１または２のいずれかに記載の水槽用栓。
【請求項４】
使用される水槽の水深を超える把持部であって先端部の向きを規制し得る形状を有する把持部と、該把持部先端の前方側に形成された鉤部であって、前記水槽用栓の上方に設けられた主リングまたは複数の補助リングのいずれかと係合するように構成された少なくとも１つの鉤部と、を具備することを特徴とする水槽用栓引抜き具。
【請求項５】
前記鉤部が複数形成される、ことを特徴とする請求項４に記載の水槽用栓引抜き具。
【請求項６】
（Ａ）ゴム、プラスチック、木質材等の適宜材料からなる栓本体と、該栓本体の上部に突出する金具に挿通せしめられる主リングと、該主リングに対してそれぞれ鎖交する複数の補助リングと、を具備する水槽用栓；
（Ｂ）使用される水槽の水深を超える把持部であって先端部の向きを規制し得る形状を有する把持部と、該把持部先端の前方側に形成された鉤部であって、水槽用栓の上方に設けられた主リングまたは複数の補助リングのいずれかと係合するように構成された鉤部と、を具備する栓引抜き具；
からなることを特徴とする水槽用栓システム。
【発明の詳細な説明】
【技術分野】
【０００１】
本発明は、浴槽、その他各種洗浄槽、飼育槽、浸漬槽、漬物槽等のような常時または適時に清水、温水、塩水、洗浄液等を満たし、必要に応じて底部から排出する水槽に用いられる水槽用栓及び栓引抜き具に関する。
【背景技術】
【０００２】
上述のような各種水槽では大規模なものはポンプを用い、あるいは傾斜させて水槽の縁部から排液を行うものもあるが、一般家庭や小規模加工用の水槽類では全体を傾斜させるのは多大の労力ないしは設備を要するため、底部に排出口を設けて常態では閉栓しておき、排水の際に開栓するものが多い。例えば、特に固定されている液槽の典型例である浴槽の排水栓は、通常は玉鎖、鎖、紐等に連結された栓が広く用いられる。
【０００３】
このような栓の使用にあたっては予め閉栓して給水または給湯を行い、入浴する。その後、排水時にはに連結された玉鎖、鎖、紐等を引き上げることにより開栓している。しかし、この種の玉鎖、鎖、紐等は強度的に問題があり、経年劣化により僅かでも強度が低下すると、引き抜き時の張力に耐えきれずに切断されてしまうことが多い。また、耐久性の向上を図ろうとすれば太さも大きく強固な玉鎖や鎖を使用することになるが、入浴時に肌に直接接触する可能性が高く、さらに外観上も好ましくない。
【０００４】
玉鎖や鎖等が切断されると、排水に際して腕を水中に差し込み、手指により水栓を引き抜かなければならない。このような作業は、冬季以外で浴槽も浅い場合にはほとんど問題ないが、寒冷期や深い水槽の場合にあっては前屈の度も大きくなり容易ではない。また、高齢者や身体の自由度が制限される利用者にあっては、浴槽底部まで手を伸ばすことは危険を伴う懸念もある。
【０００５】
特許文献１は、浴槽の底部の排水口に対して栓を差し込んだり抜いたりするための浴槽の栓脱着用治具を開示している。これは棒状体の先端に栓上端のリングを脱着自在に引っ掛けるための鉤状のフックを設けることを提案するにすぎないものであり、フックを栓上端のリングに引っ掛ける作業は極めて困難を伴うものであり、このような課題を解消するものではなく、上記した問題点を解決するものでもない。
【特許文献１】特開２００２−１７５９１号公報
【発明の開示】
【発明が解決しようとする課題】
【０００６】
本発明は、玉鎖、鎖、紐等を使用せずに引抜き可能な水槽用栓およびこの栓を抜き取るための栓引抜き具を提供することを課題とする。
【課題を解決するための手段】
【０００７】
本願に係る請求項１に記載の発明は、ゴム、プラスチック、木質材等の適宜材料からなる栓本体１２と、該栓本体の上部に突出する金具１４に挿通せしめられる主リング１６と、該主リングに対してそれぞれ鎖交する複数の補助リング１８と、を具備することを特徴とする水槽用栓である。
【０００８】
本願に係る水槽用栓の前記主リング１６Ｂが、前記金具１４の貫通孔に挿通せしめられる直線部であって、リング中間において直径方向に折り曲げられた直線部１７を形成し、該直線部の中心を栓本体の上表面中心付近に位置せしめ、該主リングの外周部に対して複数の補助リング１８をそれぞれ鎖交するリングであることを特徴とする。このように構成することにより、補助リング１８は栓本体１２の上周縁に揃って垂下することになり、栓引抜き具２０の鉤部２４との接触および係合がより容易となる。
【０００９】
これら主リング１６および複数の補助リング１８の材質は、使用される液体の性質を考慮して選択されるべきであるが、浴槽その他水槽の場合にはステンレススチールや金属にプラスチック被覆を施したもの等を素材とするリング状体が適している。なお、この場合の補助リング１８の数は、２ないし６個程度の中で用途に応じて適宜選択できる。
【００１０】
本願に係る請求項４に記載の発明は、使用される水槽の水深を超える長さの把持部であって先端部の向きを規制し得る形状を有する把持部２２と、該把持部先端の前方側に形成された鉤部であって、前記水槽用栓１０の上方に設けられた主リング１６または複数の補助リング１８のいずれかと係合するように構成された少なくとも１つの鉤部２４と、を具備することを特徴とする水槽用栓引抜き具である。なお、前記鉤部２４は複数形成することができる。また把持部後端には、使用しない場合の栓引抜き具の収納用として引掛け部２６を形成している。
【００１１】
前記栓引抜き具２０の材質は、上記リングの場合と同様に任意に選定可能である。一般的用途にあってはステンレススチールが適しているが、例えば鋼線にプラスチックの被覆を施した物であってもよい。なお、先端部の向きを規制できるとは、把持部２２を手に持って鉤部側を水中に挿入する際に、鉤の先端部の向く方向を手指の感覚によって正確に認識できることを意味し、栓を引抜く際の操作を容易にするために重要な機能である。このような特性は、特に水槽内の液体が濁っている場合や、着色されていて栓の存在が外部から明確に認識できない場合に特に重要となる。また、前記鉤部を複数形成することにより鉤部がリングを引っ掛ける確率がさらに高くなる。
【００１２】
本願に係る請求項６に記載の発明は、前記栓本体１２と主リング１６および複数の補助リング１８とを具備する水槽用栓１０と、把持部２２と鉤部２４とを具備する栓引抜き具２０と、からなることを特徴とする水槽用栓システムである。これら水槽用栓と当該栓の引抜き具との組み合わせにより、本発明の前記課題を有利に解決できるものである。
【発明の効果】
【００１３】
本発明に係る水槽用栓ならびに該水槽用栓の引抜き具によれば、玉鎖、鎖、紐等を使用しないため、人体、液中物質等との無用な接触が回避され、これらの不意の切断に伴う引抜き操作に伴う不便を被ることがなくなる。浴槽の場合には、玉鎖類が不要となる結果、玉鎖の上方側固定金具も不要となり、浴槽で人体の背中等に直接接触する際に感じる不快感をなくすことができる。また、浴槽以外の水槽内に充填される液体が、塩分、酸成分、その他の薬剤成分等を含む場合には、従来の栓にあっては玉鎖、鎖、紐等が化学的及び／又は物理的に悪影響を受けて切断に至る可能性があったが、本発明においてはこのような鎖等の切断の可能性を低下させる効果が得られる。
【発明を実施するための最良の形態】
【００１４】
次に、本発明を実施するための最良の形態について添付図を参照しながら説明する。図１は本発明に係る水槽用栓１０の構成例を示すものであり、図２はこの水槽用栓を水槽底部の排水口から引き抜くための栓引抜き具２０の構成例を示すものである。
【００１５】
図１に示すように、本発明に係る水槽用栓１０は、硬質ゴム、プラスチック、木質材等を素材とする栓本体１２、栓本体の上方に突出する金具１４、主リング１６、補助リング１８により構成される。金具１４にはその上部付近に貫通孔（図示していない）が設けられており、この金具１４の貫通孔には、主リング１６が挿通せしめられ、さらにこの主リング１６には補助リング１８が鎖交せしめられている。
【００１６】
これらリング類の素材は、水槽で使用される液体の種類や成分を考慮して選定されるべきであるが、浴槽その他の清水の場合にあってはステンレススチール製リングが特に適している。塩水や酸性液体を対象とする水槽にあっては、それぞれの状況に応じて構成部材の材質を検討すべきである。
【００１７】
図１では、主リング１６に対して、引き抜き操作時の便宜を考慮して５個の補助リング１８を取り付けた状態を示しているが、水槽の水深、収容液体の清澄度等を考慮して適宜増減することができる。このような補助リング１８の個数は後述する引抜き具２０先端の鉤部２４との接触および係合の確立を向上せしめるものであり、適宜検討の上決定することができる。
【００１８】
図２に示すように、栓引抜き具２０は、棒状であって、把持部２２、下方先端の鉤部２４、上端部の吊り下げ部２６からなる。栓引抜き具全体の長さは、使用される水槽の水深を１５〜２０ｃｍ程度上回る寸法に選定される。なお、把持部２２は、鉤部２４と図１に示したリング類１６、１８との接触および係合を確実にするために、過度の曲がりやねじれを生じない程度の硬度を有する金属線が適しているが、水槽内の液体の種類に応じて選定されるべきである。浴槽のような清水（真水）を使用する用途にあっては、ステンレススチール線が適している。強酸性液体、強アルカリ液体等の場合には、耐酸性、耐アルカリ性等の処理を施した素材を使用すべきである。
【００１９】
本発明において、図１のように形成された水槽用栓１０によって水槽底部を閉栓する際は、水槽は空になっているため従来の水槽栓と同様に栓本体１２を浴槽その他水槽の底部に形成されている排水口に嵌合せしめればよい。
【００２０】
このように排水口を閉塞して液体が水槽を満たしている状態で水槽用栓１０を抜き取り、排水するには以下のように行う。図２に示す栓引抜き具２０の下端に形成された鉤部２４側を水槽用栓１０に当接せしめながらその周囲に沿って小さく運動させる。この場合、水槽用栓１０の上方には主リング１６と係合している複数の補助リング１８が存在するから、これらが鉤部２４と接触し、把持部２０を介して手応えを感じると同時にこれら複数の補助リング１８同士、さらには主リング１６との間で発生する接触音響を聴くことができる。
【００２１】
その段階で栓引抜き具２０の把持部を左右に僅かに動かすことにより鉤部２４が補助リング１８のいずれか、場合によっては主リング１６と容易に係合する。その手応えに応じて把持部２２を上方に引き上げることにより、水槽用栓１０を排水口から抜去することができる。したがって、栓引抜き具２０が水深より長いものであれば、手を濡らすことなしに水槽用栓１０を抜去することができ、寒冷期や、素手を浸漬することに問題がある液体であってもなんら支障なく排水することができる。
【実施例１】
【００２２】
図３は、本発明に係る水槽用栓の他の実施例を示すものである。栓本体１２の中央に配設された金具１４に形成された貫通孔に対して、円形主リング１６Ｂの中間に直径方向に折り曲げられた直線部１７を挿通させている。なお、この直径方向に伸びた直線部１７を金具１４の貫通孔に挿通させる前後に半径よりも短いスリーブを介在させることができ、円形主リング１６Ｂの中心が栓本体１２の上表面中心にほぼ合致する位置に留めるようにすることができる。このような構成をとることにより、主リング１６Ｂの環状部は栓本体１２の上表面環状部にほぼ平行となっている。
【００２３】
このように形成された主リング１６Ｂの環状部に複数の補助リング１８を適宜数鎖交させるものである。このような構成にあっては、図３に示すように補助リング１８は栓本体１２の上周縁に揃って垂下することになるから、栓引抜き具２０の鉤部２４との接触および係合が、図１に示した実施例に比して容易となる利点が得られる。
【実施例２】
【００２４】
図４は栓引抜き具の他の実施例を示すものである。把持部２２下端に形成する鉤部２４を複数個としたものであり、このような構成により、水槽用栓１０の上部に配設された主リング１６、１６Ｂ、補助リング１８との接触、係合がより効率よく達成される利点が得られる。
【産業上の利用可能性】
【００２５】
本発明は、新設の水槽においてはもとより、既設の水槽においてよく見受けられる栓を連結する玉鎖類が切断された水槽用栓及び栓システムとして適用することができる。本発明によれば、人体、液中物質等との無用な接触が回避され、栓引抜き操作に伴う不便を被ることがなくなる。また、浴槽にあっては玉鎖類及び玉鎖類固定金具が不要となり、浴槽で人体の背中等に直接接触する際に感じる不快感をなくすことができる。
【図面の簡単な説明】
【００２６】
【図１】本発明に係る水槽用栓の構成例を示す図である。
【図２】本発明に係る栓引抜き具の構成例を示す図である。
【図３】本発明に係る水槽用栓の他の構成例を示す図である。
【図４】本発明に係る栓引抜き具の他の構成例を示す図である。
【符号の説明】
【００２７】
１０    水槽用栓
１２    栓本体
１４    金具
１６、１６Ｂ    主リング
１８    補助リング
２０    栓引抜き具
２２    把持部
２４    鉤部
２６    引掛け部
【図１】
2005261677.tif 000003
【図２】
2005261677.tif 000004
【図３】
2005261677.tif 000005
【図４】
2005261677.tif 000006